【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
ベニューのためにロケーションサーバにおいてロケーションサービスを提供する方法であって、前記方法が、
ロケーションサービスに関する要求を受信することと、ここにおいて、ロケーションサービスに関する前記要求が、少なくとも１つのモバイルデバイスの第１の識別情報を備え、前記第１の識別情報が、個々のモバイルデバイスまたはモバイルデバイスのグループを識別するベニュー固有名を備える、ベニュー固有識別情報を備え、
前記第１の識別情報に基づいて応答を送ることと、ここにおいて、前記応答が、少なくとも１つのモバイルデバイスの第２の識別情報を備え、
を備える、方法。
【請求項２】
ターゲットエリアの前記識別情報または地理的エリアの前記識別情報が、前記ベニュー固有識別情報を備え、前記ベニュー固有識別情報が、都市ロケーションを備える、請求項１に記載の方法。
【請求項３】
前記都市ロケーションが、ベニュー固有部分とグローバル部分とを備える、請求項２に記載の方法。
【請求項４】
モバイルデバイスの開始数、入るモバイルデバイスの数、出るモバイルデバイスの数、モバイルデバイスの平均数、または平均滞在時間のうちの少なくとも１つを備える分析報告を送ることをさらに備える、請求項１に記載の方法。
【請求項５】
ロケーションサービスに関する前記要求および前記応答が、オープンモバイルアライアンス（ＯＭＡ）のモバイルロケーションプロトコル（ＭＬＰ）に関するメッセージを備える、請求項１に記載の方法。
【請求項６】
ロケーションサービスクライアントに通信を送り、ロケーションサービスクライアントから通信を受信するように構成されたトランシーバと、
前記トランシーバに通信可能に結合され、応答を形成するために、前記トランシーバを介して前記ロケーションサービスクライアントから受信されるロケーションサービスに関する要求を受信し、前記トランシーバを介して前記ロケーションサービスクライアントに向けて前記応答を送るように構成されたプロセッサと、
を備える、ロケーションサーバであって、
ロケーションサービスに関する前記要求が、少なくとも１つのモバイルデバイスの第１の識別情報を備え、前記第１の識別情報が、個々のモバイルデバイスまたはモバイルデバイスのグループを識別するベニュー固有名を備える、ベニュー固有識別情報を備え、
前記応答が、前記識別情報に基づき、少なくとも１つのモバイルデバイスの第２の識別情報を備える、ロケーションサーバ。
【請求項７】
前記ターゲットエリアの前記識別情報または前記地理的エリアの前記識別情報が、前記ベニュー固有識別情報を備え、前記ベニュー固有識別情報が、都市ロケーションを備える、請求項６に記載のロケーションサーバ。
【請求項８】
前記都市ロケーションが、ベニュー固有部分とグローバル部分とを備える、請求項７に記載のロケーションサーバ。
【請求項９】
ロケーションサービスクライアントにおいてロケーションサービスを提供する方法であって、前記方法が、
ロケーションサーバに、ロケーションサービスに関する要求を送ることと、ここにおいて、ロケーションサービスに関する前記要求が、少なくとも１つのモバイルデバイスの第１の識別情報を備え、前記第１の識別情報が、個々のモバイルデバイスまたはモバイルデバイスのグループを識別するベニュー固有名を備える、ベニュー固有識別情報を備え、
前記ロケーションサーバから、前記要求に対する応答を受信することと、ここにおいて、前記応答が、少なくとも１つのモバイルデバイスの第２の識別情報を備え、
前記応答を使用して前記ロケーションサービスを提供することと、
を備える、方法。
【請求項１０】
前記ターゲットエリアの前記識別情報または前記地理的エリアの前記識別情報が、前記ベニュー固有識別情報を備え、前記ベニュー固有識別情報が、都市ロケーションを備える、請求項９に記載の方法。
【請求項１１】
前記都市ロケーションが、ベニュー固有部分とグローバル部分とを備える、請求項１０に記載の方法。
【請求項１２】
前記ロケーションサービスクライアントが、ロケーションベースサービスアプリケーションサーバである、請求項９に記載の方法。
【請求項１３】
ロケーションサーバに通信を送り、ロケーションサーバから通信を受信するように構成されたトランシーバと、
前記トランシーバに通信可能に結合され、
前記トランシーバを介して前記ロケーションサーバに向けてロケーションサービスに関する要求を送ることと、ここにおいて、ロケーションサービスに関する前記要求が、少なくとも１つのモバイルデバイスの第１の識別情報を備え、前記第１の識別情報が、個々のモバイルデバイスまたはモバイルデバイスのグループを識別するベニュー固有名を備える、ベニュー固有識別情報を備え、
前記トランシーバを介して前記ロケーションサーバから前記要求に対する応答を受信することと、ここにおいて、前記応答が、少なくとも１つのモバイルデバイスの第２の識別情報を備え、
前記応答を使用して前記ロケーションサービスを提供することと、
を行うように構成されたプロセッサと、
を備える、ロケーションサービスクライアント。
【請求項１４】
前記ターゲットエリアの前記識別情報または前記地理的エリアの前記識別情報が、前記ベニュー固有識別情報を備え、前記ベニュー固有識別情報が、都市ロケーションを備える、請求項１３に記載のロケーションサービスクライアント。
【請求項１５】
前記都市ロケーションが、ベニュー固有部分とグローバル部分とを備える、請求項１４に記載のロケーションサービスクライアント。
【手続補正２】
【補正対象書類名】明細書
【補正対象項目名】０２４８
【補正方法】変更
【補正の内容】
【０２４８】
[00268]６０．ロケーションサービスに関する前記要求、および、前記応答が、オープンモバイルアライアンス（ＯＭＡ）のモバイルロケーションプロトコル（ＭＬＰ）に関するメッセージを備える、請求項５３に記載のプロセッサ可読記憶媒体。
以下に、本願出願の当初の特許請求の範囲に記載された発明を付記する。
［Ｃ１］
ベニューのためにロケーションサーバにおいてロケーションサービスを提供する方法であって、前記方法が、
ロケーションサービスに関する要求を受信することと、ここにおいて、ロケーションサービスに関する前記要求が、少なくとも１つのモバイルデバイスの第１の識別情報またはターゲットエリアの識別情報のうちの少なくとも一方を備え、
応答を送ることと、ここにおいて、前記応答が、少なくとも１つのモバイルデバイスの第２の識別情報または地理的エリアの識別情報のうちの少なくとも一方を備え、
を備え、
少なくとも１つのモバイルデバイスの前記第１の識別情報、少なくとも１つのモバイルデバイスの前記第２の識別情報、前記ターゲットエリアの前記識別情報、または、前記地理的エリアの前記識別情報のうちの少なくとも１つが、ベニュー固有識別情報を備える、方法。
［Ｃ２］
前記ターゲットエリアの前記識別情報または前記地理的エリアの前記識別情報が、前記ベニュー固有識別情報を備え、前記ベニュー固有識別情報が、都市ロケーションを備える、Ｃ１に記載の方法。
［Ｃ３］
前記都市ロケーションが、ベニュー固有部分とグローバル部分とを備える、Ｃ２に記載の方法。
［Ｃ４］
少なくとも１つのモバイルデバイスの前記第１の識別情報または少なくとも１つのモバイルデバイスの前記第２の識別情報のうちの少なくとも一方が、前記ベニュー固有識別情報を備え、前記ベニュー固有識別情報が、ベニュー固有名を備える、Ｃ１に記載の方法。
［Ｃ５］
前記ベニュー固有名が、個々のモバイルデバイスまたはモバイルデバイスのグループを識別する、Ｃ４に記載の方法。
［Ｃ６］
モバイルデバイスの開始数、入るモバイルデバイスの数、出るモバイルデバイスの数、モバイルデバイスの平均数、または平均滞在時間のうちの少なくとも１つを備える分析報告を送ることをさらに備える、Ｃ１に記載の方法。
［Ｃ７］
ロケーションサービスに関する前記要求および前記応答が、オープンモバイルアライアンス（ＯＭＡ）のモバイルロケーションプロトコル（ＭＬＰ）に関するメッセージを備える、Ｃ１に記載の方法。
［Ｃ８］
ロケーションサービスクライアントに通信を送り、ロケーションサービスクライアントから通信を受信するように構成されたトランシーバと、
前記トランシーバに通信可能に結合され、応答を形成するために、前記トランシーバを介して前記ロケーションサービスクライアントから受信されるロケーションサービスに関する要求を受信し、前記トランシーバを介して前記ロケーションサービスクライアントに向けて前記応答を送るように構成されたプロセッサと、
を備える、ロケーションサーバであって、
ロケーションサービスに関する前記要求が、少なくとも１つのモバイルデバイスの第１の識別情報、または、ターゲットエリアの識別情報のうちの少なくとも一方を備え、
前記応答が、少なくとも１つのモバイルデバイスの第２の識別情報、または、地理的エリアの識別情報のうちの少なくとも一方を備え、
少なくとも１つのモバイルデバイスの前記第１の識別情報、少なくとも１つのモバイルデバイスの前記第２の識別情報、前記ターゲットエリアの前記識別情報、または、前記地理的エリアの前記識別情報のうちの少なくとも１つが、ベニュー固有識別情報を備える、ロケーションサーバ。
［Ｃ９］
前記ターゲットエリアの前記識別情報または前記地理的エリアの前記識別情報が、ベニュー固有識別情報を備え、前記ベニュー固有識別情報が、都市ロケーションを備える、Ｃ８に記載のロケーションサーバ。
［Ｃ１０］
前記都市ロケーションが、ベニュー固有部分とグローバル部分とを備える、Ｃ９に記載のロケーションサーバ。
［Ｃ１１］
少なくとも１つのモバイルデバイスの前記第１の識別情報または少なくとも１つのモバイルデバイスの前記第２の識別情報のうちの少なくとも一方が、前記ベニュー固有識別情報を備え、前記ベニュー固有識別情報が、ベニュー固有名を備える、Ｃ８に記載のロケーションサーバ。
［Ｃ１２］
前記ベニュー固有名が、個々のモバイルデバイスまたはモバイルデバイスのグループを識別する、Ｃ１１に記載のロケーションサーバ。
［Ｃ１３］
前記プロセッサが、分析報告を準備し、前記トランシーバを介して前記ロケーションサービスクライアントに向けて分析報告を送るようにさらに構成されており、前記分析報告が、モバイルデバイスの開始数、入るモバイルデバイスの数、出るモバイルデバイスの数、モバイルデバイスの平均数、または平均滞在時間のうちの少なくとも１つを備える、Ｃ８に記載のロケーションサーバ。
［Ｃ１４］
ロケーションサービスに関する前記要求および前記応答が、オープンモバイルアライアンス（ＯＭＡ）のモバイルロケーションプロトコル（ＭＬＰ）に関するメッセージを備える、Ｃ８に記載のロケーションサーバ。
［Ｃ１５］
ロケーションサービスクライアントにおいてロケーションサービスを提供する方法であって、前記方法が、
ロケーションサービスに関する要求を送ることと、ここにおいて、ロケーションサービスに関する前記要求が、少なくとも１つのモバイルデバイスの第１の識別情報、または、ターゲットエリアの識別情報のうちの少なくとも一方を備え、
応答を受信することと、ここにおいて、前記応答が、少なくとも１つのモバイルデバイスの第２の識別情報、または、地理的エリアの識別情報のうちの少なくとも一方を備え、
前記応答を使用して前記ロケーションサービスを提供することと、
を備え、
少なくとも１つのモバイルデバイスの前記第１の識別情報、少なくとも１つのモバイルデバイスの前記第２の識別情報、前記ターゲットエリアの前記識別情報、または、前記地理的エリアの前記識別情報のうちの少なくとも１つが、ベニュー固有識別情報を備える、方法。
［Ｃ１６］
前記ターゲットエリアの前記識別情報または前記地理的エリアの前記識別情報が、前記ベニュー固有識別情報を備え、前記ベニュー固有識別情報が、都市ロケーションを備える、Ｃ１５に記載の方法。
［Ｃ１７］
前記都市ロケーションが、ベニュー固有部分とグローバル部分とを備える、Ｃ１６に記載の方法。
［Ｃ１８］
少なくとも１つのモバイルデバイスの前記第１の識別情報または少なくとも１つのモバイルデバイスの前記第２の識別情報のうちの少なくとも一方が、前記ベニュー固有識別情報を備え、前記ベニュー固有識別情報が、ベニュー固有名を備える、Ｃ１５に記載の方法。
［Ｃ１９］
前記ベニュー固有名が、個々のモバイルデバイスまたはモバイルデバイスのグループを識別する、Ｃ１８に記載の方法。
［Ｃ２０］
前記ロケーションサービスクライアントが、ロケーションベースサービスアプリケーションサーバである、Ｃ１５に記載の方法。
［Ｃ２１］
モバイルデバイスの開始数、入るモバイルデバイスの数、出るモバイルデバイスの数、モバイルデバイスの平均数、または平均滞在時間のうちの少なくとも１つを備える分析報告を受信することをさらに備え、前記ロケーションサービスを提供することが、前記分析報告を使用することを含む、Ｃ１５に記載の方法。
［Ｃ２２］
ロケーションサービスに関する前記要求および前記応答が、オープンモバイルアライアンス（ＯＭＡ）のモバイルロケーションプロトコル（ＭＬＰ）のメッセージを備える、Ｃ１５に記載の方法。
［Ｃ２３］
ロケーションサーバに通信を送り、ロケーションサーバから通信を受信するように構成されたトランシーバと、
前記トランシーバに通信可能に結合され、
前記トランシーバを介して前記ロケーションサーバに向けてロケーションサービスに関する要求を送ることと、ここにおいて、ロケーションサービスに関する前記要求が、少なくとも１つのモバイルデバイスの第１の識別情報、または、ターゲットエリアの識別情報のうちの少なくとも一方を備え、
前記トランシーバを介して前記ロケーションサーバから前記要求に対する応答を受信することと、ここにおいて、前記応答が、少なくとも１つのモバイルデバイスの第２の識別情報、または、地理的エリアの識別情報のうちの少なくとも一方を備え、
前記応答を使用して前記ロケーションサービスを提供することと、
を行うように構成されたプロセッサと、
を備える、ロケーションサービスクライアントであって、
少なくとも１つのモバイルデバイスの前記第１の識別情報、少なくとも１つのモバイルデバイスの前記第２の識別情報、前記ターゲットエリアの前記識別情報、または、前記地理的エリアの前記識別情報のうちの少なくとも１つが、ベニュー固有識別情報を備える、ロケーションサービスクライアント。
［Ｃ２４］
前記ターゲットエリアの前記識別情報または前記地理的エリアの前記識別情報が、前記ベニュー固有識別情報を備え、前記ベニュー固有識別情報が、都市ロケーションを備える、Ｃ２３に記載のロケーションサービスクライアント。
［Ｃ２５］
前記都市ロケーションが、ベニュー固有部分とグローバル部分とを備える、Ｃ２４に記載のロケーションサービスクライアント。
［Ｃ２６］
少なくとも１つのモバイルデバイスの前記第１の識別情報または少なくとも１つのモバイルデバイスの前記第２の識別情報のうちの少なくとも一方が、前記ベニュー固有識別情報を備え、前記ベニュー固有識別情報が、ベニュー固有名を備える、Ｃ２３に記載のロケーションサービスクライアント。
［Ｃ２７］
前記ベニュー固有名が、個々のモバイルデバイスまたはモバイルデバイスのグループを識別する、Ｃ２６に記載のロケーションサービスクライアント。
［Ｃ２８］
前記ロケーションサービスクライアントが、ロケーションベースサービスアプリケーションサーバである、Ｃ２３に記載のロケーションサービスクライアント。
［Ｃ２９］
前記プロセッサが、さらに、モバイルデバイスの開始数、入るモバイルデバイスの数、出るモバイルデバイスの数、モバイルデバイスの平均数、または平均滞在時間のうちの少なくとも１つを備える分析報告を、前記トランシーバを介して前記ロケーションサーバから受信するように構成されており、前記ロケーションサービスを提供するために、前記プロセッサが、前記分析報告を使用するように構成されている、Ｃ２３に記載のロケーションサービスクライアント。
［Ｃ３０］
ロケーションサービスに関する前記要求および前記応答が、オープンモバイルアライアンス（ＯＭＡ）のモバイルロケーションプロトコル（ＭＬＰ）に関するメッセージを備える、Ｃ２３に記載のロケーションサービスクライアント。